(57)【要約】【課題】コネクタハウジングの端子保持穴への端子の圧入時に、端子が端子保持穴の内壁面と擦れる距離を短くして、端子に金属バリが発生するのを防止する。【解決手段】端子接続構造は、コネクタハウジング１０の端子保持壁１２に設けられた端子保持穴１４と、この端子保持穴１４に圧入される端子２０とからなる。端子保持穴１４を端子２０の圧入方向に縮径するテーパ穴に形成した。【選択図】図２
2010153291.tif 000002
【特許請求の範囲】
【請求項１】
コネクタハウジングに設けられた端子保持穴と、前記端子保持穴に圧入される端子とからなる端子接続構造であって、
前記端子保持穴を前記端子の圧入方向に縮径するテーパ穴を形成し、前記テーパ穴における少なくとも一部の領域と、前記端子が直接接触することを特徴とする端子接続構造。
【請求項２】
前記端子保持穴の前記端子の圧入方向とは反対側の端子挿入端に、前記端子保持穴のテーパ角度より大きな角度のテーパを形成したことを特徴とする請求項１に記載の端子接続構造。
【請求項３】
前記端子の先端部を先細りの案内部に形成するとともに、前記端子の前記案内部と前記端子の残余の胴部との境界部に丸面取りを施したことを特徴とする請求項１または２に記載の端子接続構造。
【発明の詳細な説明】
【技術分野】
【０００１】
本発明は、電気機器のコネクタハウジングに装着される端子の端子接続構造に関する。
【背景技術】
【０００２】
従来より、電気機器、例えば自動車に搭載される電装品等に相手側部品を電気的に接続するために、電気機器のコネクタハウジングに設けられた端子保持壁に電気機器の回路基板と接続される端子保持穴を形成し、この端子保持穴に相手側部品の回路基板と接続される端子を圧入して、端子保持穴に端子を取り付けることが行われる（例えば特許文献１の図７を参照）。
【０００３】
【特許文献１】特開２００２−２９１１３５号公報
【発明の開示】
【発明が解決しようとする課題】
【０００４】
ところで、上記端子は、一般に角断面または丸断面の線材からなり、端子を端子保持穴に圧入することによって、端子を端子保持穴に保持するための、端子の外周面と端子保持穴の内壁面との間の圧接力を得るため、端子圧入時に端子保持穴の内壁面との擦れにより端子の金属めっき或いは端子の母材が削れて、端子に金属バリが発生することが多々あった。端子に金属バリが発生すると、隣接した端子との間でショートを起こす虞があるので、時として端子接続部に対し入念な検査が必要とされる問題があった。
【０００５】
本発明は、斯かる問題点に鑑みてなされたものであり、上記問題点を解決する端子接続構造を提供することを目的とする。
【課題を解決するための手段】
【０００６】
本発明は、上記課題を解決すべく、以下に掲げる構成とした。
本発明の端子接続構造は、コネクタハウジングに設けられた端子保持穴と、前記端子保持穴に圧入される端子とからなる端子接続構造であって、前記端子保持穴を前記端子の圧入方向に縮径するテーパ穴を形成し、前記テーパ穴における少なくとも一部の領域と、前記端子が直接接触することを特徴とする。
本発明の端子接続構造は、前記端子保持穴の前記端子の圧入方向とは反対側の端子挿入端に、前記端子保持穴のテーパ角度より大きな角度のテーパを形成したことを特徴とする。
本発明の端子接続構造は、前記端子の先端部を先細りの案内部に形成するとともに、前記端子の前記案内部と前記端子の残余の胴部との境界部に丸面取りを施したことを特徴とする。
【発明の効果】
【０００７】
本発明によれば、コネクタハウジングの端子保持穴への端子の圧入時に、端子の端子保持穴の内壁面との擦れる距離を短くして、端子に金属バリが発生するのを防止することができる。
【発明を実施するための最良の形態】
【０００８】
本発明に係る端子接続構造の実施形態について、図面を参照しながら説明する。
【０００９】
図１は、本発明の端子接続構造が適用される電気機器の端子接続部を示す図である。
【００１０】
図１に示すように、電気機器のコネクタハウジング１０は端子保持壁１２を備え、この端子保持壁１２に複数の端子保持穴１４が１段または複数段に形成されている。各端子保持穴１４は、導体１６によって電気機器の回路基板（図示せず）に接続されている。端子保持穴１４には、図１（ｂ）中の拡大図に示すように、相手側部品（図示せず）の端子ボード１８に設けられた対応する端子２０が圧入によって取り付けられ、端子２０は相手側部品の回路基板に接続されている。この端子２０は断面正方形の真直な角線材からなり、必要に応じて外周面に導電性金属のめっきが施されている。
【００１１】
端子２０は先端部まで同一断面寸法であってもよいが、本例では、端子保持穴１４に端子２０を挿入しやすくするために、図２に示すように、端子２０の先端部を先細りの案内部２０ａに形成している。この案内部２０ａは、端子２０の先端部を除く残余の胴部２０ｂから伸びる角錐台形状に形成されている。この端子２０の案内部２０ａとの境界部となる胴部２０ｂの前端縁２０ｃには、前端縁２０ｃによる端子保持穴１４の内壁面１４ａとのかじりをなくすために、丸面取りを施すことが好ましい。
【００１２】
端子保持穴１４は、端子２０の断面形状に対応して断面正方形に形成されている。この端子保持穴１４は、図２（ａ）に示すように、端子２０の圧入方向（図２（ｂ）に白抜きの矢印で示す）に縮径した先細りのテーパ穴に形成されている。したがって、案内部２０ａを先頭にして端子２０を端子挿入端１４ｂから端子保持穴１４に挿入して、端子２０を圧入方向に押圧すると、端子２０の胴部２０ｂの外面の寸法が端子保持穴１４の空域の寸法に一致した位置（この位置を図２（ｂ）に端子保持穴１４の端子挿入端１４ｂからの距離Ｌで示す）で、胴部２０ｂの前端縁２０ｃが端子保持穴１４の内壁面１４ａと接触を開始し、前端縁２０ｃが接触した状態で端子保持穴１４内をそれ以上移動しなくなるまで押し込まれて停止する。そして、停止した位置で端子２０の胴部２０ｂの前端縁２０ｃと内壁面１４ａとの圧接力によって、端子２０が端子保持穴１４に保持される。したがって、端子保持穴１４のテーパ角度θ（水平に対する傾斜角度）は、端子保持穴１４の端子挿入端１４ｂから距離Ｌの直後の位置を端子２０を保持する所望位置とした場合、距離Ｌの位置で端子２０の胴部２０ｂの外面の寸法が端子保持穴１４の空域の寸法と一致するように設定すればよい。
【００１３】
上記端子保持穴１４のテーパ角度θは、端子保持穴１４の長さ、端子２０と端子保持穴１４との間の保持部構造(端子２０の断面形状、タボ等の係止形状）により異なるが、例えば、０．５°〜１．０°の範囲となるようにすることが好ましい。テーパ角度θが０．５°未満であると、端子２０の胴部２０ｂの前端縁２０ｃが端子保持穴１４の内壁面１４ａと接触を開始した後の、押し込みによる前端縁２０ｃの移動距離が長くなるため、前端縁２０ｃと端子保持穴１４の内壁面１４ａとの擦れにより、端子２０に金属バリが発生しやすくなって好ましくない。一方、テーパ角度θが１．０°を超えると、端子２０の胴部２０ｂの前端縁２０ｃが端子保持穴１４の内壁面１４ａと接触を開始した後に、前端縁２０ｃを十分に押しむことができず、前端縁２０ｃと端子保持穴１４の内壁面１４ａとの間に端子２０を端子保持穴１４に保持するのに足る圧接力を得ることができない。
【００１４】
以上のように、本実施の形態の端子接続構造では、端子保持穴１４を端子圧入方向に縮径した先細りのテーパ穴に形成して、端子２０の胴部２０ｂの外面の寸法が端子保持穴１４の空域の寸法に一致する、端子挿入端１４ｂから距離Ｌの位置で初めて、胴部２０ｂの前端縁２０ｃを端子保持穴１４の内壁面１４ａと接触させるようにしているので、前端縁２０ｃが距離Ｌの直後の所望の位置まで端子２０を端子保持穴１４に圧入するのに、端子保持穴１４の内壁面１４ａと接触した前端縁２０ｃを短い距離移動させるだけで済み、端子２０に金属バリが発生することがない。
【００１５】
これに対し、図３に示す従来の端子接続構造では、ハウジング１０の端子保持壁１２にテーパのない真直な端子保持穴２４を形成しているので、端子２０を端子保持穴２４に挿入した直後から端子２０の胴部２０ｂの前端縁２０ｃが端子保持穴２４の内壁面２４ａと接触し、前端縁２０ｃが距離Ｌの直後の所望の位置まで端子２０を端子保持穴２４に圧入するのに、端子保持穴２４の内壁面２４ａと接触した胴部２０ｂを長い距離移動させなければならない。このため、胴部２０ｂの端子保持穴２４の内壁面２４ａとの擦れにより、胴部２０ｂの外周面の金属めっきまたは母材が削られて、図４に示すように、端子２０に金属バリ３０が発生する。このため、隣接した端子２０との間でショートを起こす事態が生じ、時として端子接続部に対し入念な検査を必要とする。上記構成の本実施の形態によれば、端子２０に金属バリが発生するのを防止できるので、このような問題が生じない。
【００１６】
以上の実施の形態では、端子２０として正方形断面の端子を例にとって説明したが、端子２０の断面は縦横の長さの比が異なる一般的な四角形でもよい。さらには、端子２０は、三角形または五角形以上の断面を有するものであってもよく、円形等の輪郭が曲線の断面を有するものであってもよい。また、端子２０の先端部を先細りの案内部２０ａに形成したが、端子２０は圧入方向の先端から後端まで全長が同一断面形状であってもよい。その場合に、端子の先端の端縁に端子保持穴１４の内壁面１４ａとのかじりを防止するための丸面取りを施してあってもよい。また、以上の実施の形態では、コネクタハウジング１０の端子保持壁１２に設けられた複数の端子保持穴１４に端子ボード１８に設けられた複数の端子２０を圧入して、複数の端子２０を同時に接続するものであったが、本発明の端子接続構造はこれに限られず、独立した１つの端子保持穴に独立した１つの端子を圧入して接続する場合にも適用することができる。
【００１７】
また、本発明は、実施の形態に限定されるものではなく、その趣旨を逸脱しない範囲内において、種々の変更が加えられて実施されるものである。
【図面の簡単な説明】
【００１８】
【図１】本発明の端子接続構造が適用される電気機器の端子接続部を示す説明図である。
【図２】本発明の実施の形態に係る端子接続構造を示す断面図である。
【図３】従来の端子接続構造を示す断面図である。
【図４】従来の端子接続構造において端子に金属バリが発生するところを示す説明図である。
【符号の説明】
【００１９】
１０  コネクタハウジング
１２  端子保持壁
１４  端子保持穴
１４ａ  内壁面
１４ｂ  端子挿入端
２０  端子
２０ｂ  胴部
２０ｃ  前端縁
θ  テーパ角度
【図１】
2010153291.tif 000003
【図２】
2010153291.tif 000004
【図３】
2010153291.tif 000005
【図４】
2010153291.tif 000006